(57)【特許請求の範囲】
【請求項１】
矩形状の開口部を有する灯具本体と、前記開口部の一辺に枢支されて前記開口部を開閉自在に閉塞する導光板と、前記導光板の外縁をなす複数の辺部にそれぞれ配置される複数のランプブロックと、前記複数のランプブロックがそれぞれ装着される複数のランプソケットとを備え、
各々の前記ランプブロックは、蛍光ランプと、前記蛍光ランプから照射された光を前記導光板側に向けて反射させる反射鏡と、前記開口部を前記導光板で閉塞した状態において所定位置以外の位置に配置された前記導光板に干渉することによって、対応するランプソケットへの装着を阻止する阻止手段とを有し、前記阻止手段を前記反射鏡で構成したことを特徴とする表示灯。
【発明の詳細な説明】
【技術分野】
【０００１】
本発明は、表示灯に関するものである。
【背景技術】
【０００２】
従来より、導光板を用いた誘導灯が提供されている（例えば特許文献１参照）。この誘導灯は、矩形状の開口部を有する灯具本体と、上記開口部を閉塞するように灯具本体に着脱自在に取着される表示ユニットと、表示ユニットの上部に配置され当該表示ユニットとともに灯具本体の開口部を閉塞するランプブロックとを備えている。表示ユニットは、前面に表示パターンが形成された表示パネルと、表示パネルの背面に配置されてランプブロックからの光を表示パネルに導光する導光板と、パネルケースとで構成され、表示パネルおよび導光板をパネルケースに組み込んだ状態で灯具本体に取着されるようになっている。
【特許文献１】特開２００１−３５１４１７号公報（段落［００１９］−段落［００３３］、及び、第１、２図）
【発明の開示】
【発明が解決しようとする課題】
【０００３】
上述の特許文献１に示した誘導灯では、表示ユニットの灯具本体への取付構造と、ランプブロックの灯具本体への取付構造とがそれぞれ独立して設けられているため、例えば表示ユニットが正規の取付位置に取着されていない状態であってもランプブロックを灯具本体に取着できるものであった。そのため、表示ユニットと灯具本体の係合が不十分である場合には、表示ユニットが落下する可能性があった。
【０００４】
本発明は上記問題点に鑑みて為されたものであり、その目的とするところは、施工品質を高めつつ安全性を向上させた表示灯を提供することにある。
【課題を解決するための手段】
【０００５】
請求項１の発明は、矩形状の開口部を有する灯具本体と、開口部の一辺に枢支されて開口部を開閉自在に閉塞する導光板と、導光板の外縁をなす複数の辺部にそれぞれ配置される複数のランプブロックと、複数のランプブロックがそれぞれ装着される複数のランプソケットとを備える。各々のランプブロックは、蛍光ランプと、蛍光ランプから照射された光を導光板側に向けて反射させる反射鏡と、開口部を導光板で閉塞した状態において所定位置以外の位置に配置された導光板に干渉することによって、対応するランプソケットへの装着を阻止する阻止手段とを有し、阻止手段を反射鏡で構成したことを特徴とする。ここに、所定位置とは、複数のランプブロックがそれぞれ対応するランプソケットに装着できるように配置された導光板の位置をいう。
【発明の効果】
【０００６】
請求項１の発明によれば、灯具本体に対して導光板が所定位置にない状態ではランプブロックをランプソケットに装着できず、施工の際には導光板を必ず所定位置に配置することになるから、施工品質を向上させることができ、また複数のランプブロックをそれぞれ導光板の各辺部に配置することで、導光板が所定位置に位置決めされて移動が規制されるから、導光板の落下を防止することもできる。さらに、導光板を所定位置に配置することによって、ランプブロックからの光を設計通りに導光することができ、その結果品質差の少ない表示灯を実現することができるという効果がある。
【発明を実施するための最良の形態】
【０００７】
以下に本発明に係る表示灯の実施形態を図１〜図５に基づいて説明する。本発明に係る表示灯は、例えば天井や壁などに取り付けられ、避難誘導用の標識として用いられる。なお、以下の説明では特に断りがない限り、図１（ｂ）に示す向きにおいて上下左右の方向を規定し、図１（ｂ）の正面を前面という。
【０００８】
本実施形態の表示灯は、図１および図２に示すように、前面側に矩形状の開口部１ａを有する灯具本体１と、上記開口部１ａを閉塞するように灯具本体１に開閉自在に取着される導光板ユニット２と、導光板ユニット２の４辺にそれぞれ沿う形で配置される複数（本実施形態では４つ）のランプブロック５と、導光板ユニット２の前面側に配置される表示パネル３と、表示パネル３を保持するための枠体４とを備えている。
【０００９】
灯具本体１は、例えば合成樹脂成形品であって前面が開口した略矩形箱状の本体部１５と、金属製であって電装品（例えば、端子台や蓄電池や点灯制御ユニット１３など）が取り付けられる略矩形板状の取付台１４とで構成され、取付台１４は本体部１５の底部に適宜の取付手段により取着されている。
【００１０】
本体部１５の上側の側壁部において左右方向中央寄りには、商用電源を供給する電源線（図示せず）を上側から本体部１５の内部に導入するための電線導入孔を構成するノックアウト１５ａが設けられ、このノックアウト１５ａの左右方向両側には固定ねじ（図示せず）を挿通するためのねじ挿通孔を構成するノックアウト１５ｂ（図２では片側のみ図示）がそれぞれ設けられている。また、本体部１５の４つの側壁部の内側面には２個１組のランプソケット８、８がそれぞれ取着されており、各組のランプソケット８、８にはそれぞれランプブロック５が装着される（図２では上側壁部および左側壁部のみ図示）。なお、各組のランプソケット８、８の間隔は、後述するランプブロック５の両ランプ端子９、９（図３（ａ）参照）の間隔と同寸法に設定されている。
【００１１】
ここで、ランプソケット８は、図４（ａ）（ｂ）に示すように横長の略矩形箱状のソケット本体８ａを有し、ソケット本体８ａの長手方向（図４（ａ）中の左右方向）両側にはランプブロック５のランプ端子９が電気的に接続されるソケット端子１０、１０が、それぞれ矩形状の端子挿入孔８ｂ、８ｂ（図４（ｂ）では片側のみ図示）を臨む形で内装されており、両端子挿入孔８ｂ、８ｂが前後方向（灯具本体１の厚み方向）となるように灯具本体１の内部に配置されている。ここにおいて、本実施形態のランプソケット８は、ランプ端子９が接続されるソケット端子１０がソケット本体８ａの長手方向両側に設けられており、両面表示用の表示灯にも適用できるようになっている。そして、本実施形態の表示灯は片面表示用の表示灯であるから、片側のソケット端子１０のみが使用されることになる。
【００１２】
一方、取付台１４の略中央部には、上記の電源線を背面側から本体部１５の内部に導入するための電線導入孔１４ａが貫設され、この電線導入孔１４ａを間にして左右方向両側には固定ねじ（図示せず）が挿通されるねじ挿通孔１４ｂ、１４ｂがそれぞれ貫設されている。すなわち、本実施形態の表示灯は、上記のノックアウト１５ｂを用いることによって灯具本体１を天井に取り付けることができ、またねじ挿通孔１４ｂ、１４ｂを用いることによって灯具本体１を壁面に取り付けることができるのである。なお、本体部１５の底部において上記の電線導入孔１４ａおよびねじ挿通孔１４ｂ、１４ｂに対応する部位には、それぞれ電線導入用および取付用のノックアウト（図示せず）が設けられており、各ノックアウトを開けることで電源線を本体部１５の内部に導入することができ、また灯具本体１を背面でねじ固定できるようになっている。
【００１３】
また、取付台１４の前面には、端子台（図示せず）や停電時における電源供給用の蓄電池（図示せず）や点灯回路、光源および蓄電池の状況（例えば蓄電池の充電状態など）をチェックする自己点検機能を有し、点灯回路を制御する制御回路が内蔵された点灯制御ユニット１３が取着されている。ここにおいて、本体部１５の下側の側壁部には、自己点検を行うための自己点検スイッチ（図示せず）や蓄電池の交換時期などを表示する、例えばＬＥＤからなる表示部（図示せず）などを露出するための複数の露出孔１５ｃが設けられており、外側から自己点検スイッチを押すことで自己点検を行うことができ、また蓄電池の充電状態および交換時期などを容易に確認することができるようになっている。なお、端子台と点灯制御ユニット１３との間は電線（図示せず）により電気的に接続されており、外部から導入された電源線を端子台に接続することで、通常時には電源線を介して供給された商用電源が点灯回路に供給されるとともに蓄電池を充電し、停電時には蓄電池が放電して点灯回路に電源が供給される。また、上述した各組のランプソケット８、８と点灯回路との間も電線（図示せず）によりそれぞれ電気的に接続されており、各組のランプソケット８、８には対応する電線を介して点灯回路から点灯電力が供給されるようになっている。
【００１４】
さらに、取付台１４の左側には、導光板ユニット２側に設けた支持金具１７、１７がそれぞれ回転自在に係合する略Ｌ字状の受け金具１６、１６が、ランプソケット８、８を間にして上下方向両側にそれぞれ取着されており、各受け金具１６の先端側には略楕円状の貫通孔１６ａがそれぞれ貫設されている。また、取付台１４の上部左寄りには、導光板ユニット２を開閉する際に保持金具（図示せず）が摺動するガイド溝部１４ｃが設けられており、当該ガイド溝部１４ｃの所定位置で保持金具を係止させることで、導光板ユニット２を所定の開位置で仮保持できるようになっている。
【００１５】
ランプブロック５は、図３（ａ）（ｂ）に示すように、下面および背面（図３（ａ）中の前面）が開口する横長の略矩形箱状のランプケース５ａを有し、ランプケース５ａの長手方向（図３（ａ）中の左右方向）両端部には、上述した２個１組のランプソケット８、８のソケット端子１０、１０にそれぞれ接続されるランプ端子９、９が配置されている。また、両ランプ端子９、９の間には直管型の蛍光ランプ６（図３（ｂ）参照）が配置され、さらに上側に凸となる曲面状の反射鏡７が蛍光ランプ６の上側、前側および後側の３方向を覆うように配置されている。したがって、蛍光ランプ６から照射された光は、下方にのみ照射されることになる。なお、蛍光ランプ６の両端には口金（図示せず）がそれぞれ設けられており、各口金と対応するランプ端子９とが電気的に接続されている。
【００１６】
導光板ユニット２は、図１および図２に示すように略矩形板状の導光板１１と、導光板１１の背面側に配置されランプブロック５からの光を前方に反射させる反射板１２とで構成されている。導光板１１は、例えば透明なアクリル樹脂成形品であって、上述した本体部１５の開口寸法よりも小さい外形寸法に形成され、組立状態では本体部１５の内部に収納されるようになっている。一方、反射板１２は、例えば金属製であって導光板１１と略同じ外形寸法に形成され、導光板１１の背面側に適宜の取付手段により取着されている。また、反射板１２の左側において上述した各受け金具１６、１６に対応する部位には、各受け金具１６、１６と係合する支持金具１７、１７がそれぞれ取着されており、さらに反射板１２の右端には収納状態において導光板ユニット２を灯具本体１に固定するための固定ねじ１８が取着されている。なお、各支持金具１７の先端側には、対応する受け金具１６の貫通孔１６ａの端縁と係合する切欠溝１７ａが設けられている。ここにおいて、後述する所定位置に導光板ユニット２を配置するためには、支持金具１７の切欠溝１７ａを対応する受け金具１６の貫通孔１６ａの下側の開口端縁に係合させる必要がある。すなわち、この位置で係合させていない場合には、導光板ユニット２を閉じた際に上記の所定位置には配置されない。
【００１７】
また、導光板ユニット２の４つの側端面には、各ランプブロック５を対応する組のランプソケット８、８に装着する際に、ランプケース５ａの両下端部５ｂ、５ｂ（図３（ａ）参照）がそれぞれ挿通される一対の挿通溝１１ａ、１１ａが前後方向（導光板１１の厚み方向）に貫設されており、各ランプブロック５を対応するランプソケット８、８にそれぞれ装着することで、各挿通溝１１ａに挿通された下端部５ｂにより導光板ユニット２が位置決めされる。したがって、本実施形態の表示灯によれば、４つのランプブロック５をそれぞれ対応するランプソケット８、８に装着することによって、導光板ユニット２の移動が上下左右に規制されるから、例えば振動などにより導光板ユニット２が落下するのを防止することができる。
【００１８】
ここに、この導光板ユニット２では、導光板１１の４つの側端面からそれぞれ入射したランプブロック５からの光が、導光板１１の内部において反射板１２または導光板１１の前面で複数回反射し、導光板１１の前面から均一に照射されるようになっている。
【００１９】
表示パネル３は、例えば合成樹脂成形品であって略矩形板状に形成され、前面側には図示しない表示パターン（例えば、人物を模したピクトグラムなど）が形成されている。なお、表示パネル３の外形寸法は、上述した導光板１１の外形寸法と略同寸法に設定されている。
【００２０】
一方、枠体４は中央部に矩形状の開口窓４ａが設けられた略矩形枠状に形成され、背面側から表示パネル３が適宜の取付手段により取着できるようになっている。なお、枠体４は、開口部１ａを閉塞する形で灯具本体１に被着され、固定ねじ（図示せず）を用いて固定される。
【００２１】
次に、本実施形態の表示灯の取付手順について説明する。なお、以下の説明では、表示灯を壁面に取り付ける場合について説明する。まず、本体部１５の底部に設けた電線導入用および取付用のノックアウト（図示せず）を開け、電線導入用ノックアウトおよび電線導入孔１４ａを通して背面側から電源線を本体部１５の内部に導入するとともに、取付用ノックアウトおよびねじ挿通孔１４ｂ、１４ｂに挿通させた固定ねじ（図示せず）を用いて灯具本体１を壁面にねじ固定した後、電源線の各芯線を端子台に接続する。次に、導光板ユニット２側に設けた支持金具１７、１７の先部を、灯具本体１側に設けた対応する受け金具１６、１６の先端側の貫通孔１６ａ、１６ａにそれぞれ挿通させた後、導光板ユニット２を灯具本体１に対して下側に移動させて、支持金具１７、１７の先端側の切欠溝１７ａ、１７ａを上記の貫通孔１６ａ、１６ａの開口端縁にそれぞれ引っ掛ける。なおこのとき、図示しない保持金具をガイド溝部１４ｃの溝端縁に係合させる。
【００２２】
その後、保持金具の先部をガイド溝部１４ｃの係合位置から上方に持ち上げ、右側にスライドさせながら支持金具１７と受け金具１６の係合部分を支点として導光板ユニット２を回転させ、導光板ユニット２を灯具本体１の内部に収納するとともに、固定ねじ１８を用いて導光板ユニット２を灯具本体１に固定する。そしてさらに、４つのランプブロック５をそれぞれ導光板ユニット２の４つの側端面に沿って配置し、対応するランプソケット８、８にそれぞれ装着させる。なおこのとき、各ランプブロック５を構成するランプケース５ａの両下端部５ｂ、５ｂがそれぞれ対応する一対の挿通溝１１ａ、１１ａに挿通され、導光板ユニット２の移動が規制される。最後に、表示パネル３を枠体４に取着するとともに枠体４を前面側から灯具本体１に被着し、さらに固定ねじを用いて枠体４を灯具本体１に固定すると、表示灯の取り付けが完了する。ここに、導光板ユニット２の４つの側端面により複数の辺部が構成されている。
【００２３】
ここで、ランプブロック５の交換手順について説明する。まず、固定ねじを緩めて灯具本体１から枠体４を取り外す。次に、各ランプブロック５の両側のランプ端子９、９を、工具（例えばマイナスドライバなど）を用いてランプソケット８、８から片方ずつ外し、すべて（４つ）のランプブロック５を取り外す。さらに、固定ねじを緩めて導光板ユニット２を所定の開位置で仮固定させた後、点灯制御ユニット１３に設けられたリセットスイッチ（図示せず）を押す。なお、このリセットスイッチを押すことで、点灯制御ユニット１３でカウントされていた既設のランプブロック５の点灯時間がリセットされ、新たに装着されるランプブロック５の点灯時間がカウントされることになる。そして、導光板ユニット２を閉じるとともに固定ねじで灯具本体１に固定し、新しいランプブロック５を対応するランプソケット８、８に装着した後、枠体４を灯具本体１に取り付けると、ランプブロック５の交換が完了する。
【００２４】
ここに、図５（ａ）（ｂ）は対応するランプソケット８、８にランプブロック５を装着する装着動作を示しており、図５（ａ）（ｂ）では片側のみ図示している。図５（ａ）は導光板ユニット２が閉じた状態（すなわち、導光板ユニット２が灯具本体１の内部に収納された状態）において、当該導光板ユニット２が所定位置に配置された場合を示しており、この場合ランプブロック５のランプ端子９は対応するランプソケット８のソケット端子１０に接続され、ランプブロック５がランプソケット８、８に機械的に保持されるとともに電気的に接続される。すなわち、本実施形態における所定位置とは、各ランプブロック５が対応するランプソケット８、８に装着できるように配置された導光板ユニット２の位置をいい、例えば図１（ｂ）に示すように灯具本体１に対して中央に配置された状態をいう。なお、所定位置は、すべてのランプブロック５が対応するランプソケット８、８に装着できる位置であればよく、上記の中央位置に限定されるものではない。
【００２５】
また、図５（ｂ）は導光板ユニット２が閉じた状態において、当該導光板ユニット２が所定位置以外の位置（本図では、導光板ユニット２の片側が前側に浮いた状態）に配置された場合を示しており、この場合ランプブロック５を構成する反射鏡７が導光板１１に干渉することによって、ランプブロック５のランプ端子９が対応するランプソケット８のソケット端子１０に接続できないようになっている。すなわち、本実施形態の表示灯では、導光板ユニット２を所定位置に配置することで、はじめてランプブロック５を対応するランプソケット８、８に装着できるのである。ここに、反射鏡７により阻止手段が構成されている。
【００２６】
而して、本実施形態によれば、灯具本体１に対して導光板ユニット２が所定位置にない状態ではランプブロック５をランプソケット８、８に装着できず、施工の際には導光板ユニット２を必ず所定位置に配置することになるから、施工品質を向上させることができる。また、導光板ユニット２を所定位置に配置することによって、ランプブロック５からの光を設計通りに導光することができ、その結果品質差の少ない表示灯を実現することができる。
【００２７】
なお、阻止手段は本実施形態に限定されるものではなく、導光板ユニット２が所定位置にない場合に当該導光板ユニット２に干渉することによって、ランプブロック５の装着を阻止できるものであればよい。また、阻止手段はすべてのランプブロック５に設けられていなくてもよく、少なくとも１つのランプブロック５に設けられていればよい。
【図面の簡単な説明】
【００２８】
【図１】本実施形態の表示灯を示し、（ａ）は分解斜視図、（ｂ）は枠体を取り外した正面図である。
【図２】同上の灯具本体から導光板ユニットを取り外した状態の斜視図である。
【図３】同上に用いられるランプブロックを示し、（ａ）は斜視図、（ｂ）は側面図である。
【図４】同上に用いられるランプソケットを示し、（ａ）は正面図、（ｂ）は一部破断せる要部詳細図である。
【図５】（ａ）、（ｂ）は同上の施工状態を説明する説明図である。
【符号の説明】
【００２９】
１  灯具本体
２  導光板ユニット
５  ランプブロック
７  反射鏡（阻止手段）
８  ランプソケット
１１  導光板
【図１】
0005210051.tif 000002
【図２】
0005210051.tif 000003
【図３】
0005210051.tif 000004
【図４】
0005210051.tif 000005
【図５】
0005210051.tif 000006